(57)【要約】【課題】  資材に付着した塵埃の除去を行う確実に行うことが可能な塵埃除去装置を提供することを目的とする。【解決手段】  資材を移送するための資材移送装置１０１と、資材の移送中に、資材に付着した塵埃を除去する下面ローラブラシ体１０２、側面ローラブラシ体１０３、上面ローラブラシ体１０４が設置され、さらに、資材にエアーを吹き付けるエアーダクト１０５と、塵埃を含むエアーを濾過するフィルタと、塵埃除去装置１００内のエアーを還流させる送風機１０７とを備えている。【選択図】  図１
2009000631.tif 000002
【特許請求の範囲】
【請求項１】
資材を移送するための移送テーブルと、
前記資材の移送中に、該資材に付着した塵埃を除去する回転ブラシと、
前記資材にエアーを吹き付けるエアーノズルと、
前記エアーノズルから吹き出されたエアーを濾過するフィルタと、
フィルタで濾過されたエアーを前記エアーノズルへ還流させる還流手段とを備えることを特徴とする塵埃除去装置。
【請求項２】
前記ブラシは、該ブラシを資材の外面に接触させて除塵するものであり、
前記資材の下面に接触させて塵埃を除去する下面回転ブラシと、
前記資材の側面に接触させて塵埃を除去する側面回転ブラシと、
前記資材の上面に接触させて塵埃を除去する上面回転ブラシであることを特徴とする請求項１記載の塵埃除去装置。
【請求項３】
前記下面回転ブラシは、前記移送テーブルの一端に設けられ、
前記回転ロールの回転数と異なる回転数で回転することを特徴とする請求項１または２記載の塵埃除去装置。
【請求項４】
前記側面回転ブラシは、前記移送テーブルの両側から該移送テーブルの略中央へ向かって延伸する支持部材によって支持され、
前記支持部材に対して前記移送テーブル方向に垂直に取り付けられていることを特徴とする請求項１または２記載の塵埃除去装置。
【請求項５】
前記上面回転ブラシは、前記移送テーブルの上方に取り付けられ、前記移送テーブルに対して上下に揺動することを特徴とする請求項１または２記載の塵埃除去装置。
【請求項６】
前記エアーノズルは、複数のノズルを備え、
前記複数のノズルは、前記資材の外面を構成する上下及び側面に向かってエアーを吹き出す位置に設置されていることを特徴とする請求項１から５のいずれか１項に記載の塵埃除去装置。
【請求項７】
前記フィルタは、前記移送テーブルの下方に設置され、
前記複数のノズルから吹き出されたエアーが前記フィルタを通過し、前記還流手段によって、再び、前記エアーノズルからエアーが吹き出されることを特徴とする請求項１から６のいずれか１項に記載の塵埃除去装置。
【発明の詳細な説明】
【技術分野】
【０００１】
本発明は、資材に付着した塵埃を除去する塵埃除去装置に関する。
【背景技術】
【０００２】
従来、工場や施設内の環境を一定の清潔に保つために、工場や施設内に搬入される資材に付着する塵埃の除去や、工場内での製造ラインにおいて発生する塵埃の除去が望まれる。そこで、例えば、資材にエアーの吹き付けと吸引によって、資材に付着する塵埃を除去する方法が行われている。
【０００３】
一方、紙粉を除去の効率を上げる発明として、特許文献１で提案されている段ボール板の裁断加工面清掃装置がある。この裁断加工面清掃装置では、段ボール板の裁断加工面に対して、電動回転自在なローラブラシ体でブラッシングして、裁断屑を除去し、除去した裁断屑を集塵フードで回収処理することが開示されている。
【特許文献１】特開２００１−２０５５９５号公報
【発明の開示】
【発明が解決しようとする課題】
【０００４】
しかしながら、従来の資材にエアーの吹き付けと吸引によって塵埃を除去する方法では、資材に均一にエアーが吹き付けられるとも限らず、塵埃の除去の確実性に欠ける。また、特許文献１で提案されている裁断面加工清掃装置では、段ボール板の裁断面に付着する裁断屑のみを除去するものであり、段ボール板に付着した裁断屑以外の塵埃を除去することは示唆されていない。
【０００５】
本発明は、係る問題に鑑みてなされたものであり、資材に付着した塵埃の除去を行う確実に行うことが可能な塵埃除去装置を提供することを目的とする。
【課題を解決するための手段】
【０００６】
上記目的を達成するために、本発明の塵埃除去装置は、資材を移送するための移送テーブルと、資材の移送中に、該資材に付着した塵埃を除去する回転ブラシと、資材にエアーを吹き付けるエアーノズルと、エアーノズルから吹き出されたエアーを濾過するフィルタと、フィルタで濾過されたエアーをエアーノズルへ還流させる還流手段とを備えることを特徴とする。
【０００７】
また、本発明の塵埃除去装置は、ブラシは、該ブラシを資材の外面に接触させて除塵するものであり、資材の下面に接触させて塵埃を除去する下面回転ブラシと、資材の側面に接触させて塵埃を除去する側面回転ブラシと、資材の上面に接触させて塵埃を除去する上面回転ブラシであることを特徴とする。
【０００８】
また、本発明の塵埃除去装置は、下面回転ブラシは、移送テーブルの一端に設けられ、回転ロールの回転数と異なる回転数で回転することを特徴とする。
【０００９】
また、本発明の塵埃除去装置は、側面回転ブラシは、移送テーブルの両側から該移送テーブルの略中央へ向かって延伸する支持部材によって支持され、支持部材に対して移送テーブル方向に垂直に取り付けられていることを特徴とする。
【００１０】
また、本発明の塵埃除去装置は、上面回転ブラシは、移送テーブルの上方に取り付けられ、移送テーブルに対して上下に揺動することを特徴とする。
【００１１】
また、本発明の塵埃除去装置は、エアーノズルは、複数のノズルを備え、複数のノズルは、資材の外面を構成する上下及び側面に向かってエアーを吹き出す位置に設置されていることを特徴とする。
【００１２】
さらに、本発明の塵埃除去装置は、フィルタは、移送テーブルの下方に設置され、複数のノズルから吹き出されたエアーがフィルタを通過し、還流手段によって、再び、エアーノズルからエアーが吹き出されることを特徴とする。
【発明の効果】
【００１３】
本発明によれば、資材の外面の形を問わずに、資材に付着した塵埃をブラシでブラッシングし、吹き付けられたエアーを吸入することで、確実に塵埃を除去することができる。
【発明を実施するための最良の形態】
【００１４】
次に、図面を参照して、本実施形態に係る塵埃除去装置について説明する。
図１は、塵埃除去装置１００の外観構成図である。
図に示すように、この塵埃除去装置１００の前段には、資材を塵埃除去装置１００へ搬入する資材搬入装置２００が連設されており、後段には、資材を塵埃除去装置１００から搬出する資材搬出装置３００が連設されている。資材は、資材搬入装置２００によって塵埃除去装置１００へ搬入され、塵埃除去装置１００によって塵埃が除去され、資材搬出装置３００によって塵埃除去装置１００から搬出される。
【００１５】
次に、図２、図３を参照して本実施形態に係る塵埃除去装置１００の構成について説明する。
図２は、塵埃除去装置１００の内部構成を示した図であり、図３は、塵埃除去装置１００の内部を上から見た図である。
塵埃除去装置１００は、資材を移送する資材移送装置１０１と、資材の下面をブラッシングする下面ローラブラシ体１０２と、資材の側面をブラッシングする側面ローラブラシ体１０３と、資材の上面をブラッシングする上面ローラブラシ体１０４と、資材にエアーを吹き付けるエアーダクト１０５と、塵埃除去装置１００内の塵埃を吸塵するフィルタ１０６と、送風機１０７とから構成されている。
なお、図中に示す各ブラシ体は、模式的に示したものであり、本来は、複数のブラシ線を後述する回転軸に植毛したものである。
【００１６】
以下、上記の各構成について詳しく内容を説明する。
【００１７】
〔資材移送装置１０１〕
資材移送装置１０１には、複数の回転ローラ１０１ａが設けられ、回転ローラ１０１ａごとにローラ自体を回転させるモータ（図示せず）が接続されている。また、資材移送装置１０１の入口（図中、「ＩＮ」で表示した部位）には、図１に示す資材搬入装置２００が連設され、出口（図中、「ＯＵＴ」を表示した部位）には、図１に示す資材搬出装置３００が連設されている。
【００１８】
〔下面ローラブラシ体１０２〕
下面ローラブラシ体１０２は、資材移送装置１０１の手前（入口近傍）に設けられ、図３に示すように、モータ１０２Ｍと、回転部材１０２Ｒと、ブラシ１０２Ｂとから構成されている。回転部材１０２Ｒは、モータ１０２Ｍを駆動源として回転し、回転部材１０２Ｒに取り付けられたブラシ１０２Ｒが回転することで資材の下面をブラッシングする。
なお、回転ローラ１０１ａの回転数が下面ローラブラシ体１０２の回転数よりも多い。資材移送装置１０１の回転ローラ１０１ａの回転数よりも下面ローラブラシ体１０２の回転数を多く早く回転させることで、単位時間における資材の下面をブラシ１０２Ｂがブラッシングする回数が多くなり、結果、資材の下面を充分にブラッシングすることができる。
【００１９】
〔側面ローラブラシ体１０３〕
側面ローラブラシ体１０３は、資材移送装置１０１の両側に取り付けられており、モータ１０３Ｍと、回転部材１０３Ｒと、ブラシ１０３Ｂと、アーム１０３Ａと、回転軸１０３Ｊとから構成されている。回転部材１０３Ｒは、モータ１０３Ｍを駆動源として回転し、回転部材１０３Ｒに取り付けられているブラシ１０３Ｂが資材の側面をブラッシングする。ブラシ１０３Ｂ、回転部材１０３Ｒ、モータ１０３Ｍは、アーム１０３Ａによって支持され、アーム１０３Ａが回転軸１０３Ｊを支点にして所定の角度内で揺動自在に動くようになっている。アーム１０３Ａは、資材移送装置１０１の両端に設けられている回転軸１０３Ｊから資材移送装置１０１の出口方向及び資材移送装置１０１の中心方向に向かって延伸している。
【００２０】
〔上面ローラブラシ体１０４〕
上面ローラブラシ体１０４は、側面ローラブラシ体１０３の後方出口側に取り付けられており、移送された資材の上面をブラッシングする。この上面ローラブラシ体１０４は、モータ１０４Ｍと、回転部材１０４Ｒと、ブラシ１０４Ｂと、アーム１０４Ａと、支持部材１０４Ｓから構成されている。
【００２１】
上面ローラブラシ体１０４は、モータ１０４Ｍを駆動源として回転する回転部材１０４Ｒにブラシ１０４Ｂが取り付けられている。さらに、モータ１０４Ｍ、回転部材１０４Ｒ、ブラシ１０４Ｂは、アーム１０４Ａによって支持され、さらに、アーム１０４Ａは、支持部材１０４Ｓに支持されている。
【００２２】
資材が上面ローラブラシ体１０４の位置に移送され、資材が出口方向へ移送されるにしたがい、資材が上面ローラブラシ体１０４を押し上げ、上面ローラブラシ体１０４は、所定の角度まで持ち上がる。これにより、資材の上面に沿ってブラッシングを行う。
【００２３】
〔エアーダクト１０５〕
エアーダクト１０５は、資材の上下左右へエアーを吹き付けるものであって、上面ノズル１０５ａと、下面ノズル１０５ｂと、左ノズル１０５ｃと、右ノズル１０５ｄとから構成されている。エアーダクト１０５は、資材移送装置１０１の下方に設置されている送風機１０７に連通しており、この送風機１０７から送られるエアーをそれぞれのノズル１０５ａ〜１０５ｄからエアーが吹き出す。
【００２４】
〔フィルタ１０６〕
フィルタ１０６は、塵埃を含んだエアーを濾過するものであって、資材移送装置１０１が有する複数の回転ローラ１０１ａの隙間からエアーを吸入し、エアーに含まれる塵埃を取り除く。
【００２５】
〔送風機１０７〕
送風機１０７は、連通するエアーダクト１０５へエアーを供給する。この供給されるエアーは、フィルタ１０６で濾過したエアーを送風機１０７が吸入し、その吸入したエアーをエアーダクト１０５へ供給する。
【００２６】
次に、図４を参照して、側面ローラブラシ体１０３の動作について説明する。
まず、図４（ａ）に示すように、資材が資材移送装置１０１によって側面ローラブラシ体１０３の設置方向へ移送される。次に、図４（ｂ）のように、資材が資材移送装置１０１によって側面ローラブラシ体１０３の設置箇所まで移送されると、すでに、回転しているブラシ１０３Ｂによって、資材がブラッシングされ始める。資材が資材移送装置１０１によって矢印方向へ移送されることにより、資材が側面ローラブラシ体１０３を押し出し、側面ローラブラシ体１０３が資材移送装置１０１の外側へ揺動する。
【００２７】
次に、図４（ｃ）には、資材の側面を側面ローラブラシ体１０３がブラッシングしている様子を示す。資材が、図４（ａ）に示すような側面ローラブラシ体１０３が互いに接触する位置まで移送されると、側面ローラブラシ体１０３は、資材の幅に合わせて資材移送装置１０１の外側へ更に押し広げられる。そして、図４（ｄ）のように、資材が側面ローラブラシ体１０３の設置位置を通過すると、資材によって資材移送装置１０１の外側へ押し広げられていた側面ローラブラシ体１０３は、図４（ａ）に示す位置まで戻る。
【００２８】
次に、図５を参照して、上面ローラブラシ体１０４の動作について説明する。
まず、図５（ａ）は、資材が資材移送装置１０１によって上面ローラブラシ体１０４の設置位置まで移送する様子を示した図である。上面ローラブラシ体１０４は、図５（ａ）に示す位置が資材の待機位置である。
【００２９】
図５（ｂ）では、資材が資材移送装置１０１によって、上面ローラブラシ体１０４の設置位置まで移送されると、ブラシ１０４Ｂが資材に接触しブラッシングする。資材は、資材移送装置１０１によって矢印方向へ移送されながら上面ローラブラシ体１０４を回転軸１０４Ｊを支点にして押し上げる。
【００３０】
図５（ｃ）では、資材移送装置１０１による資材の移送により、上面ローラブラシ体１０４は、資材の上面の高さまで押し上げられ、資材の上面に沿ってブラッシングする。そして、図５（ｄ）に示すように、資材の待機位置に戻る。
【００３１】
次に、図６を参照して、エアーダクト１０５について説明する。
まず、送風機１０７からエアーがエアーダクト１０５内へ送風され（矢印Ｖ）、各ノズル（上面ノズル１０５ａ、下面ノズル１０５ｂ、左右ノズル１０５ｃ,１０５ｄ）から塵埃除去装置１００内へ吹き出される（矢印Ｗ）。塵埃除去装置１００内へ吹き出されたエアーは、資材に付着する塵埃の除去と、各ローラブラシ体がブラッシングして除去した塵埃を資材移送装置１０１の回転ローラ１０１ａの間からエアーと共に、吸収する（矢印Ｘ）。
【００３２】
そして、回転ローラ１０１ａの間から吸引されたエアー（矢印Ｘ）は、フィルタ１０６へ吸引される（矢印Ｙ）。フィルタ１０６を通過したエアーは、送風機１０７へ吸引され、再び、エアーダクト１０５へ送風する。
【００３３】
以上の説明から、本実施形態に係る塵埃除去装置１００では、資材の上面、下面及び両側の側面をローラブラシ体でブラッシングし、資材にエアーを吹き付けると共に、塵埃を含んだエアーをフィルタで吸引することで、塵埃を集塵することができる。これにより、資材のすべての面に付着する塵埃を除去することが可能となる。また、ローラブラシ体が資材の面に沿ってブラッシングすることで、資材の形を問わずに塵埃を除去することができる。
【図面の簡単な説明】
【００３４】
【図１】本実施形態に係る塵埃除去装置の外観を示した図である。
【図２】本実施形態に係る塵埃除去装置の構成を示した図である。
【図３】図１に示す塵埃除去装置の上面図である。
【図４】側面ローラブラシ体の動作を示した図である。
【図５】上面ローラブラシ体の動作を示した図である。
【図６】エアーダクトから吹き出されるエアーの動きを示した図である。
【符号の説明】
【００３５】
１００    塵埃除去装置
１０１    資材移送装置
１０１ａ    回転ローラ
１０２    下面ローラブラシ体
１０２Ｂ、１０３Ｂ、１０４Ｂ    ブラシ
１０２Ｍ、１０３Ｍ、１０４Ｍ    モータ
１０２Ｒ、１０３Ｒ、１０４Ｒ    回転部材
１０３    側面ローラブラシ体
１０３Ｊ、１０４Ｊ    回転軸
１０４    上面ローラブラシ体
１０４Ａ    アーム
１０５    エアーダクト
１０６    フィルタ
１０７    送風機
２００    資材搬入装置
３００    資材搬出装置
【図１】
2009000631.tif 000003
【図２】
2009000631.tif 000004
【図３】
2009000631.tif 000005
【図４】
2009000631.tif 000006
【図５】
2009000631.tif 000007
【図６】
2009000631.tif 000008